(57)【要約】二つの分離した部材（１０，１４）を備える装飾的なシート材用のホルダーであって、一方の部材（１０）は、シート材（１２）の上方の端部に取り付けられ、壁から吊り下げられるものであり、他方の部材（１４）は、該シート材の下方の端部に取り付けられる。ホルダーの各部材は、互いにヒンジ連結されるトッププレート（２２）及びベースプレート（２０）と、例えばポスト（３０）、接着性テープ、又はバネ仕掛けのクリップ（２４）など、シート材（１２）をベースプレートに連結するための連結手段とを備える。特定の実施形態では、バネ仕掛けのクリップは、トップ及びベースプレートをヒンジ連結するとともに、シート材をベースプレートに連結するための連結手段としての役割を果たす。
2005535479.tif 000002
【特許請求の範囲】
【請求項１】
装飾的なシート材を吊り下げるためのホルダーであって、
ａ）シート材の上方の端部に連結される第一部材と、
ｂ）前記シート材の下方の端部に連結され、前記第一部材と接続されない第二部材と、を備え、
前記各部材は、
ｉ）ベースプレートと、
ｉｉ）前記ベースプレートにヒンジ連結され、ベースプレートとの間に前記シート材の端部が挿入されるトッププレートと、
ｉｉｉ）前記シート材をベースプレートに連結する、トッププレートを含まない連結手段と、を備える、ホルダー。
【請求項２】
前記トッププレートは、ベースプレートに対して所定の傾斜角度でヒンジ連結される、請求項１に記載のホルダー。
【請求項３】
前記連結手段は、シート材の孔に挿入する突出した要素である、請求項１に記載のホルダー。
【請求項４】
前記突出した要素は、ポスト、釘、スクリュー、フック、又は、ハンガーである、請求項３に記載のホルダー。
【請求項５】
前記突出した要素は、ポストである、請求項４に記載のホルダー。
【請求項６】
前記連結手段は、接着性要素である、請求項１に記載のホルダー。
【請求項７】
前記接着性要素は、接着テープ、ベルクロファスナー、又は、接着剤である、請求項６に記載のホルダー。
【請求項８】
前記連結手段は、シート材を掴むあごを有するバネ仕掛けのクリップである、請求項１に記載のホルダー。
【請求項９】
前記トップ及びベースプレートは、クリップによってヒンジ連結される、請求項８に記載のホルダー。
【請求項１０】
前記あごは、グリップ用の歯を備える、請求項８に記載のホルダー。
【請求項１１】
前記あごは、グリップ力を高める素材で覆われる、請求項８に記載のホルダー。
【請求項１２】
前記素材は、ゴムである、請求項１１に記載のホルダー。
【請求項１３】
前記一方の部材の連結手段は、他方の部材の連結手段と異なる、請求項１に記載のホルダー。
【請求項１４】
カレンダーを吊り下げるためのホルダーであって、
ａ）カレンダーの上方の端部に連結される第一部材と、
ｂ）前記カレンダーの下方の端部に連結され、前記第一部材と接続されない第二部材と、を備え、
前記各部材は、
ｉ）ベースプレートと、
ｉｉ）前記ベースプレートにヒンジ連結され、ベースプレートとの間に前記カレンダーの端部が挿入されるトッププレートと、
ｉｉｉ）カレンダーの孔に挿入することにより、カレンダーをベースプレートに連結する、前記ベースプレートのポストと、を備える、ホルダー。
【請求項１５】
カレンダーを吊り下げるためのホルダーであって、
ａ）カレンダーの上方の端部に連結される第一部材と、
ｂ）前記カレンダーの下方の端部に連結され、前記第一部材と接続されない第二部材と、を備え、
前記各部材は、
ｉ）ベースプレートと、
ｉｉ）前記ベースプレートにヒンジ連結され、ベースプレートとの間に前記カレンダーの端部が挿入されるトッププレートと、
ｉｉｉ）トップ及びベースプレートをヒンジ連結し、カレンダーをベースプレートに連結するバネ仕掛けのクリップであって、カレンダーを掴むあごを有する少なくとも一つのバネ仕掛けのクリップと、を備える、ホルダー。
【請求項１６】
前記あごは、ゴムで覆われる、請求項１５に記載のホルダー。
【請求項１７】
前記第一部材のベースプレート内に、カレンダーの孔に挿入するポストをさらに備える、請求項１５に記載のホルダー。
【発明の詳細な説明】
【技術分野】
【０００１】
本発明は、一般に、シート材を吊り下げるためのホルダーに関し、特に、カレンダーを壁から吊り下げるためのホルダーに関するものである。
【背景技術】
【０００２】
一般的に、カレンダーや、例えばポスター、紙、タペストリー、キルト、織物、図表などの装飾的なシート材は、フック、釘、クリップを用いて壁から吊り下げられる。
【発明の開示】
【発明が解決しようとする課題】
【０００３】
この方法でシート材を掲示するのは、機能的ではあるが、美的に貧弱なものとなる。また、この方法で吊り下げられたカレンダーのページは、カールしたり、ページの下部が丸まったりしがちである。カレンダーを掲示する他の方法としては、フレームを用いる方法がある。しかし、かかるフレームは、比較的嵩張るものであり、大きなカレンダーの場合などは特に嵩張るものである。そこで、美的に目立つ装飾的なシート材を平坦に維持でき、且つ、フレームよりも嵩張らないシート材用のホルダーが必要である。
【課題を解決するための手段】
【０００４】
本発明は、装飾的なシート材用のホルダーを提供するものである。前記ホルダーは、接続されていない二つの部材からなり、一方は、シート材の上方の端部に連結し、壁から吊り下げるための部材であり、他方は、シート材の下方の端部に連結するための部材である。各部材は、ヒンジ連結されて間にシート材の端部が挿入されるトッププレート及びベースプレートと、シート材をベースプレートに連結する連結手段とを備える。
【発明を実施するための最良の形態】
【０００５】
ホルダーは、以下の詳細な説明及び添付図面から、よりよく理解することができる。なお、各図面は図解及び説明のためのみに与えられるものであり、本発明の限度を規定することを意図したものではないことは、明確に理解されるべきである。
【０００６】
図１は、壁から吊り下げられるカレンダーに取り付けられる、上方及び下方の部材を表す斜視図を示す。図２は、ポスト及びバネ仕掛けのクリップを有するホルダー部材の側面図を示す。図３は、二つのバネ仕掛けのクリップと、ポストとを備えるホルダー部材の斜視図を示す。図４は、トップ及びベースプレートをヒンジ連結するバネ仕掛けのクリップの斜視図を示す。
【０００７】
本発明の一実施形態によると、カレンダー用のホルダーは、接続されていない二つの部材を備える。カレンダーホルダーの各部材は、互いにヒンジ連結されるトップ及びベースプレートと、カレンダーをベースプレートに連結する連結手段とを備える。カレンダーは、突出した要素、接着性要素及びバネ仕掛けのクリップなどの周知の手段によって、ベースプレートに連結される。
【０００８】
前記突出した要素は、カレンダーに通常設けられる孔に挿入されるものであり、ポスト（柱、杭）、釘、フック、スクリュー（ネジ、ネジ釘）、ハンガーなどであり得る。前記接着性要素は、カレンダーの端部をベースプレートに貼り付けるものであり、接着テープ、ベルクロファスナー（面ファスナー）、接着剤などであり得る。前記バネ仕掛けのクリップは、あごの間でカレンダーを掴み、該あごは、歯、又は、ゴム若しくはゴム状合成物などのグリップ性を向上させた素材の被覆を有し得る。このようにして、あごの保持力は、高められ得る。
【０００９】
前記ベースプレートは、単独でカレンダーを充分に支持することができるため、トップ及びベースプレートが協力してカレンダーを保持することは必ずしも要しない。
【００１０】
前記二つの部材は、通常、カレンダーをベースプレートに連結するための同様の連結手段を有するものであるが、各部材は異なる連結手段を有し得る。例えば、カレンダーの上方の端部を連結する部材はポストを有し得る一方、他方の部材はバネ仕掛けのクリップを有し得る。同様に、各部材は、複数の連結手段を有し得る。例えば、部材は、バネ仕掛けのクリップ及びポストの両方を有し得る。
【００１１】
図１は、本発明に従うカレンダーホルダーを示す。該ホルダーは、分離し且つ接続されていない二つの部材を備え、上方の部材１０は、オープンカレンダー１２の上部に取り付けるための部材であり、下方の部材１４は、カレンダーの下部に取り付けるための部材である。カレンダーは、上方の部材によって壁から吊り下げられ、それは、環状の絵画ハンガーなどの、通常の吊り下げ手段を備えるものである。
【００１２】
図２及び図３を参照すると、各部材は、互いにヒンジ連結されたベースプレート２０及びトッププレート２２の二つのプレートを備えている。トッププレートは、連結されると、トッププレートの内面部がベースプレートの上面部に近接するように、ベースに対して付勢される。トッププレートの内面は、ベースプレートの上面に当接し得るが、カレンダーページを間の位置に制限することができる程度に内面及び上面が充分接近し得るものであれば、接触することを要しない。
【００１３】
二つのバネ仕掛けのクリップ２４は、二つのプレートをヒンジ連結する。各クリップの一方のアーム２６は、ベースプレートに固定され、各クリップの他方のアーム２８は、トッププレートに連結される。図４は、取り付けられたスプリング４０の一つの配列を表すバネ仕掛けのクリップ２４の図を示す。
【００１４】
図２及び図３を再度参照すると、クリップのあごが閉じる場合、付勢されたトッププレート２２の内面は、ベースプレート２０の上面に近接する。ベース及びトッププレートを開けるために、表面を接触させている力とは反対にトッププレートを押すと、カレンダーを面の間に挿入することができる。トップ及びベースプレートをヒンジ連結する手段として、バネ仕掛けのクリップを説明したが、他の周知の手段であってもよい。
【００１５】
各部材のベースプレート２０の上面からは、ポスト３０が突出する。該ポストは、壁からカレンダーを吊り下げるために、通常カレンダーに設けられる孔に挿入される。ポストは、カレンダーの端部がトップ及びベースプレートの間の位置に制限される際、カレンダーがポストに取り付けられるように、トッププレートの下に位置決めされる。
【００１６】
実際には、上方部材１０のトッププレート２２及びベースプレート２０は、開いた状態に維持され、カレンダーの所望のページがプレート間に挿入される。ページは、該ページに通常設けられるカレンダー孔の中にポスト３０が挿入されることによって、ポスト３０上に置かれる。下方の部材１４は、同様の方法で、カレンダーの下部に取り付けられる。カレンダーは、上方の部材１０の吊り下げ手段を壁に取り付けることにより、壁から吊り下げられ得る。
【００１７】
実際、ポストは、カレンダーを上方の部材に固定するため、カレンダーは、上方部材のトップ及びベースプレートが開けられた状態としつつ、吊り下げることができる。これにより、上方部材又は壁からカレンダーを取り除くことなく、カレンダーのページを取り除く又はめくることができるという利点がある。また、ポストのさらなる利点は、プレートはカレンダーを支持する必要がないため、トップ及びベースプレートを近接させる力が比較的弱くてもよい点である。従って、トップ及びベースプレートは、容易に開けることができるように構成される。
【００１８】
他の実施形態では、カレンダーの端部がバネ仕掛けのクリップのあごに掴まれる一方、カレンダーがポストに取り付けられ得るように、ポストは、二つのバネ仕掛けのクリップ間に位置する。従って、カレンダーは、ポスト及びクリップのあごの両方によって、ベースプレートに連結される。この配列では、各クリップは、トップ及びベースプレートをヒンジ連結する機能と、カレンダーをベースプレートに連結するための手段としての機能とを果たす。
【００１９】
グリップ能力を高めるために、各クリップのあごは、ゴムによって覆われ得る。例えば、図２に示すクリップは、先端部がゴム製のあご３２及び３４を有する。
【００２０】
好ましい実施形態では、ポストは除かれ、クリップが、トップ及びベースプレートをヒンジ連結するとともに、クリップのみで、カレンダーを保持する。他の好ましい実施形態では、ポスト及びクリップの両方が上方の部材１０に設けられ、下方の部材１４にはクリップのみが設けられ、各クリップは、両方の部材のトップ及びベースプレートをヒンジ連結する。
【００２１】
カレンダーは、図に示した特定のプレートには限定されるものではなく、様々なサイズや形状のトップ及びベースプレートを採用しうることは、当業者にとって容易に理解することができる。同様に、トップ及びベースプレートは、木材やプラスチック、それらの組み合わせなど、周知の材料によって構成され得る。
【００２２】
［関連した出願への相互参照］
本出願は、２００２年８月１４日になされた仮出願Ｎｏ．６０／４０３２５７の利益を要求する。
【図面の簡単な説明】
【００２３】
【図１】壁から吊り下げられるカレンダーに取り付けられる、上方及び下方の部材を表す斜視図を示す。
【図２】ポスト及びバネ仕掛けのクリップを有するホルダー部材の側面図を示す。
【図３】二つのバネ仕掛けのクリップと、ポストとを備えるホルダー部材の斜視図を示す。
【図４】トップ及びベースプレートをヒンジ連結するバネ仕掛けのクリップの斜視図を示す。
【図１】
2005535479.tif 000003
【図２】
2005535479.tif 000004
【図３】
2005535479.tif 000005
【図４】
2005535479.tif 000006
【国際調査報告】
2005535479.tif 000007